(57)【要約】【課題】ドライバービットをを螺子の頭部に容易に噛み合わせることのできるドライバーおよびドライバービット位置決め治具を提供する。【解決手段】螺子の頭部にドライバービットの先端部を位置決めするドライバービット位置決め治具であって、ドライバービット５が同心状に挿入され、かつ、ドライバービット５にスライド可能に取り付けられたガイドカラー２を有し、ガイドカラー２は、螺子の頭部に当接可能で、先端に向かって拡径するテーパ面２ｔを先端内周に備える。【選択図】図２
2005046953.tif 000002
【特許請求の範囲】
【請求項１】
螺子の頭部にドライバービットの先端部を位置決めするドライバービット位置決め治具であって、
ドライバービットが同心状に挿入され、かつ、前記ドライバービットにスライド可能に取り付けられた円筒部材を有し、
前記円筒部材は、前記螺子の頭部に当接可能で、先端に向かって拡径するテーパ面を先端内周に備える
ドライバービット位置決め治具。
【請求項２】
前記螺子は、ざぐり穴の底部に位置し、
前記円筒部材は、前記ざぐり穴の内径より小さい外径を有する
請求項１に記載のドライバービット位置決め治具。
【請求項３】
前記円筒部材をスライド可能に保持する弾性部材を有する
請求項１に記載のドライバービット位置決め治具。
【請求項４】
前記円筒部材は、前記ドライバービットを軸方向に案内する案内部を有する
請求項１に記載のドライバービット位置決め治具。
【請求項５】
螺子を取り外すのに用いるドライバーであって、
ドライバービットと、
前記ドライバービットが同心状に挿入され、かつ、前記ドライバービットに対してスライド可能に設けられた円筒部材とを有し、
前記円筒部材は、前記螺子の頭部に当接可能で、先端に向かって拡径するテーパ面を先端内周に備える
ドライバー。
【請求項６】
前記螺子は、ざぐり穴の底部に位置し、
前記円筒部材は、前記ざぐり穴の内径より小さい外径を有する
請求項５に記載のドライバー。
【発明の詳細な説明】
【技術分野】
【０００１】
本発明は、ドライバーおよびドライバービット位置決め治具に関するものである。
【背景技術】
【０００２】
テレビジョン受像機等の家電製品の解体では、製品を構成するケース等の部品を連結する小螺子をドライバーを用いて取り外すことが行われている。
解体作業を効率良く行うためには、小螺子の頭部にドライバービットを嵌め合わせる必要がある。たとえば、特許文献１には、小螺子の頭部をドライバービットに確実に保持する技術が開示されている。
【特許文献１】特開平１０−１５６７４１号公報
【発明の開示】
【発明が解決しようとする課題】
【０００３】
一方、家電製品のケース等は、プラスチック等の樹脂で形成されていることが多く、このケースを固定するための螺子は、ケースに形成されたざぐり穴の底部に配置されることが多い。
ケースに形成されたざぐり穴は深い場合が多く、このため、螺子の頭部がケースの外部から見えにくい。このような状態にある螺子をドライバーを用いて取り外す際に、螺子の頭部が見えにくいため、ドライバービットを螺子の頭部に噛み合わせるのに時間がかかるという問題があった。
また、ざぐり穴の有無にかからずネジ頭の溝とドライバービットの噛み合わせが回転方向においてずれている場合に、ドライバービットを少し回して噛み合せる必要がある。このビットを回す時、位置ずれが生じやすく作業性が低下するという問題もある。
【０００４】
本発明は、上述した問題に鑑みてなされたものであって、その目的は、ドライバービットを螺子の頭部に容易に噛み合わせることのできるドライバーおよびドライバービット位置決め治具を提供することにある。
【課題を解決するための手段】
【０００５】
本発明のドライバービット位置決め治具は、螺子の頭部にドライバービットの先端部を位置決めするドライバービット位置決め治具であって、ドライバービットが同心状に挿入され、かつ、前記ドライバービットにスライド可能に取り付けられた円筒部材を有し、前記円筒部材は、前記螺子の頭部に当接可能で、先端に向かって拡径するテーパ面を先端内周に備える。
【０００６】
好適には、前記螺子は、ざぐり穴の底部に位置し、前記円筒部材は、前記ざぐり穴の内径より小さい外径を有する。
【０００７】
さらに好適には、前記円筒部材をスライド可能に保持する弾性部材を有する。
【０００８】
本発明のドライバーは、螺子を取り外すのに用いるドライバーであって、ドライバービットと、前記ドライバービットが挿入され、かつ、前記ドライバービットに対してスライド可能に設けられた円筒部材とを有し、前記円筒部材は、前記螺子の頭部に当接可能で、先端に向かって拡径するテーパ面を先端内周に備える。
【０００９】
本発明では、円筒部材を螺子に向けて当てると、テーパ面が螺子の頭部に当接する。テーパ面は先端に向かって拡径しているので、円筒部材の中心軸は螺子の頭部の中心に向かうように位置決めされる。ドライバービットは、円筒部材に同心状に挿入されているので、ドライバービットの先端と螺子の頭部の中心とが一致しやすくなる。この状態で、ドライバービットを円筒部材に対してスライドさせていくと、ドライバービットと螺子の頭部とが容易に噛み合う。
【発明の効果】
【００１０】
本発明は、ドライバービットをを螺子の頭部に容易に噛み合わせることができる。
【発明を実施するための最良の形態】
【００１１】
以下、本発明の実施の形態について図面を参照して説明する。
図１は、本発明の一実施形態に係るドライバーの斜視図である。
図１において、ドライバー１は、ガイドカラー２と、ホルダー部３と、コイルばね４と、ドライバービット５と、給電ケーブル６とを有する。
なお、ガイドカラー２は本発明の円筒部材、コイルばね４は本発明の弾性部材、ドライバービット５は本発明のドライバービットのそれぞれ一実施態様である。
【００１２】
ホルダー部３には、図示しない電動モータが内蔵されている。この電動モータの回転軸はドライバービット５と連結されている。電動モータには、給電ケーブル６を通じて電力が供給され、駆動される。これにより、ドライバービット５が回転する。
【００１３】
図２は、ドライバー１の軸方向に沿った断面図である。
図２に示すように、ガイドカラー２は、一端部２ａがコイルばね４の一端部と連結されている。このコイルばね４の他端部は、ホルダー部３の先端部３ａに連結されている。
ガイドカラー２の内周に、ドライバービット５が挿入されている。
ガイドカラー２は、円筒状の部材で構成されている。
【００１４】
ガイドカラー２の内周の一部には、直径が部分的に縮小された案内部２ｈが形成されている。この案内部２ｈにドライバービット５は嵌合している。ガイドカラー２の中心軸とドライバービット５の中心軸とは略一致している。
ガイドカラー２は、コイルばね４の弾性力に抗してドライバービット５の軸方向Ａ２にスライド可能となっている。また、ガイドカラー２はコイルばね４の力により、軸方向Ａ１にスライド可能となっている。通常は、ガイドカラー２は、コイルばね４によってドライバービット５の先端部５ａを覆う位置に保持されている。
【００１５】
ガイドカラー２の先端部の内周には、テーパ面２ｔが形成されている。テーパ面２ｔは、先端に向かって連続的に拡径している。このテーパ面２ｔは、後述する螺子の螺子頭と当接してドライバービット５の中心部に案内する機能を果たす。
【００１６】
次に、上記構成のドライバー１を用いる対象の一例について説明する。
図３は、テレビジョン受像機をリアカバー側から見た斜視図である。
テレビジョン受像機のリアカバー１００は、プラスチックで成形されており、このリアカバー１００には、螺子のためのざぐり穴１００ｈが複数形成されている。
このざぐり穴１００ｈの底部にリアカバー１００を固定するための螺子が位置している。
【００１７】
ざぐり穴１００ｈの底部にある螺子をドライバー１を用いて取り外すには、ざぐり穴１００ｈは比較的深いので、図４に示すように、ガイドカラー２をざぐり穴１００ｈに差し込む。
【００１８】
図５に示すように、ガイドカラー２をざぐり穴１００ｈに挿入したとき、ガイドカラー２の外径は、ざぐり穴１００ｈの内径よりも小さいので、ガイドカラー２の先端部は螺子１１０に対して大まかに位置決めされる。
ガイドカラー２の先端には、テーパ面２ｔが存在するので、ガイドカラー２の先端部が螺子１１０に対して大まかに位置決めされると、螺子１１０の頭部１１０ｈにテーパ面２ｔが当接する。
図６に示すように、ガイドカラー２のテーパ面２ｔが螺子１１０の頭部１１０ｈに当接すると、螺子１１０の中心軸とドライバービット５の中心軸とが略一致する。
【００１９】
ガイドカラー２の先端がざぐり穴１００ｈの底面１００ｔに当接した状態で、コイルばね４の弾性力に抗して、ドライバービット５をさらに押し込むと、図７に示すように、ガイドカラー２に対してドライバービット５が相対移動する。
このとき、ガイドカラー２のテーパ面２ｔの作用により、螺子１１０の中心軸とドライバービット５の中心軸とは略一致しているので、ドライバービット５が螺子１１０に向かって移動すると、ドライバービット５の先端部５ａが螺子１１０の頭部１１０ｈに容易に噛み合う。
【００２０】
以上のように、本実施形態によれば、ドライバービット５の周囲にざぐり穴１００ｈの内径よりも小さい外径を有するガイドカラー２を設け、このガイドカラー２の先端部にテーパ面２ｔを形成し、ガイドカラー２とドライバービット５とを軸方向にスライド可能としたことにより、比較的深い穴の底部に位置する螺子１１０の頭部１１０ｈにドライバービット５の先端部５ａを容易に噛み合わせることができる。
なお、ガイドカラー２の外径は、ざぐり穴１００ｈの内径よりも若干小さい程度とするほうが、螺子１１０の頭部１１０ｈへのドライバービット５の先端部５ａの噛み合わせをより確実にすることができる。
【００２１】
なお、上述した実施形態では、ざぐり穴１００ｈの底面に位置する螺子１１０を取り外す場合について説明したが、本発明はざぐり穴の内部にない螺子を取り外す場合にも効果が得られる。すなわち、ガイドカラー２の先端のテーパ面２ｔの作用により、ざぐり穴の内部にない螺子であってもドライバービット５の先端部５ａを噛み合わせることが容易となる。
また、上述した実施形態では、プラスのドライバービットを螺子に噛み合わせる場合について説明したが、他に六角穴付ボルト、六角ボルト、六角ナット等の場合でも本発明を適用可能である。
また、上述した実施形態では、ガイドカラー２をコイルばね４を介してホルダー部３に連結する構成としたが、ガイドカラー２をコイルばね４を介してドライバービット５に連結する構成とすることも可能である。この場合には、ドライバービット５をホルダー部３を取り外す際に、ガイドカラー２も同時に取り外すことができるので、交換作業性が向上する。
さらに、上述した実施形態では、電動ドライバーの場合について説明したが、エアードライバー、手作業用ドライバー等にも本発明を適用可能である。
【図面の簡単な説明】
【００２２】
【図１】本発明の一実施形態に係るドライバーの斜視図である。
【図２】ドライバー１の軸方向に沿った断面図である。
【図３】テレビジョン受像機をリアカバー側から見た斜視図である。
【図４】ドライバー１を用いて螺子を取り外す作業手順を説明するための図である。
【図５】ドライバー１をざぐり穴に差し込んでいる途中の状態を示す断面図である。
【図６】ドライバー１をざぐり穴に差し込み、ガイドカラーの先端が底面に当接した状態を示す断面図である。
【図７】ドライバービットと螺子の頭部とが噛み合った状態を示す断面図である。
【符号の説明】
【００２３】
１…ドライバー、２…ガイドカラー、３…ホルダー部、４…コイルばね、５…ドライバービット、１００ｈ…ざぐり穴、１１０…螺子。
【図１】
2005046953.tif 000003
【図２】
2005046953.tif 000004
【図３】
2005046953.tif 000005
【図４】
2005046953.tif 000006
【図５】
2005046953.tif 000007
【図６】
2005046953.tif 000008
【図７】
2005046953.tif 000009